(57)【要約】【課題】より精度の高い検索対象を検出することが可能な情報検索装置を提供する。【解決手段】情報検索装置２は、位置情報を取得する位置情報取得部２２と、検索フレーズのカテゴリを判別するカテゴリ判別部２３と、検索対象を表す単語と関連する特徴語を検索フレーズから生成する特徴語生成部２４と、蓄積データベースから検索対象を検索する検索部２５とを備える。検索対象は、地点情報を有している。検索部２５は、位置情報とカテゴリと特徴語とに基づいて、位置から所定の範囲、かつ判別されたカテゴリで、特徴語に対応した検索対象を検索する。【選択図】図１
2019149140.tif 000002
【特許請求の範囲】
【請求項１】
検索の起点となる地図上の位置を示す位置情報を取得する位置情報取得部と、
検索対象を表す単語と関連する特徴語を検索フレーズから生成する特徴語生成部と、
前記特徴語と該特徴語に対応する前記検索対象とを蓄積する蓄積データベースから前記検索対象を検索する検索部とを備え、
前記検索対象は、特定の地点を示す地点情報を有しており、
前記検索部は、前記位置情報と前記特徴語とに基づいて、前記位置から所定の範囲で、前記特徴語に対応した前記検索対象を検索することを特徴とする情報検索装置。
【請求項２】
前記位置情報取得部は、機械学習により前記検索フレーズに含まれる単語から推定された前記位置情報を取得する請求項１に記載の情報検索装置。
【請求項３】
前記検索フレーズのカテゴリを判別するカテゴリ判別部と、
前記カテゴリに対応する単語が記憶された検索記憶装置とを更に備え、
前記蓄積データベースは、前記特徴語が前記カテゴリごとに分類されており、
前記カテゴリ判別部は、
前記検索フレーズに含まれる単語が予め前記検索記憶装置に記憶された単語と一致するか否かによって前記カテゴリを判別するカテゴリ判定部と、
機械学習により前記カテゴリ判定部により判定されなかった前記検索フレーズに含まれる単語から前記カテゴリを推定するカテゴリ推定部とを有し、
前記検索部は、前記位置情報と前記カテゴリと前記特徴語とに基づいて、前記位置から所定の範囲、かつ判別された前記カテゴリで、前記特徴語に対応した前記検索対象を検索する請求項１又は請求項２に記載の情報検索装置。
【請求項４】
前記特徴語生成部は、前記検索フレーズにおける名詞と形容詞と動詞と副詞とを含めた単語から前記検索対象を表す単語と類似度のより高い特徴語を生成する請求項１から請求項３のいずれか１項に記載の情報検索装置。
【請求項５】
情報処理端末と、該情報処理端末と通信可能な情報検索装置と、該情報検索装置がアクセス可能な情報蓄積装置とを備えた情報検索システムであって、
前記情報処理端末は、
検索フレーズが入力される入力装置と、
前記検索フレーズを前記情報検索装置に送信し前記検索フレーズに基づいて検索された検索対象を前記情報検索装置から受信する端末通信装置と、
前記検索対象を表示する表示装置とを備え、
前記情報検索装置は、
前記情報処理端末からの前記検索フレーズを受信し前記検索対象を送信する検索通信装置と、
検索の起点となる地図上の位置を示す位置情報を取得する位置情報取得部と、
検索対象を表す単語と関連する特徴語を前記検索フレーズから生成する特徴語生成部と、
蓄積データベースから前記検索対象を検索する検索部とを備え、
前記検索対象は、特定の地点を示す地点情報を有しており、
前記検索部は、前記位置情報と前記特徴語とに基づいて、前記位置から所定の範囲で、前記特徴語に対応した前記検索対象を検索し、
前記情報蓄積装置は、前記蓄積データベースを記憶する蓄積記憶装置を備え、
前記蓄積データベースは、前記特徴語と該特徴語に対応する前記検索対象とを蓄積していることを特徴とする情報検索システム。
【請求項６】
前記情報処理端末は、地図情報が記憶される端末記憶装置を更に備え、
前記表示装置は、前記検索対象を示す前記特定の地点を前記地図情報の地図に表示する請求項５に記載の情報検索システム。
【請求項７】
前記特徴語生成部は、前記検索フレーズの統計データを算出し、
前記情報蓄積装置は、前記情報処理端末から予め設定した期間内に前記検索通信装置が受信した前記検索フレーズと前記統計データとを関連づけして前記蓄積データベースに蓄積する請求項５又は請求項６に記載の情報検索システム。
【請求項８】
前記特徴語生成部は、前記検索フレーズに含まれる単語から、前記検索対象を表す単語と類似度のより高い前記特徴語を生成し、且つ前記統計データに基づいて、頻度のより高い前記特徴語を優先して出力する請求項７に記載の情報検索システム。
【請求項９】
前記蓄積データベースでは、単語の特徴を示す特徴情報が類似した複数の前記特徴語からなる特徴語群と前記検索対象とが対応付けられており、
前記特徴語生成部は、前記検索フレーズに含まれる単語の前記特徴情報に基づいて当該単語に対応する前記特徴語群を決定し、
前記検索部は、前記特徴語生成部が決定した前記特徴語群に対応付けられている前記検索対象を前記蓄積データベースから検出する、ことを特徴とする請求項１から請求項４のいずれか１項に記載の情報検索装置。
【発明の詳細な説明】
【技術分野】
【０００１】
本発明は、情報検索装置及び情報検索システムに関し、特に、検索フレーズに基づいて、特定の地点を表す検索対象を検索する情報検索装置及び情報検索システムに関する。
【背景技術】
【０００２】
従来、地図検索において、座標情報を明示的に登録しているデータだけでなく、非定型データの内容に含まれる情報を対象として地図検索することができる情報検索装置が知られている（特許文献１）。
【０００３】
特許文献１の情報検索装置では、属性を有する単語が複数含まれるデータを入力し、入力したデータに含まれる複数の単語を抽出し、複数の単語を属性毎に抽出した属性関連単語を変換した属性情報が付加されたデータを用いて検索している。
【０００４】
特許文献１の情報検索装置は、例えば、位置の属性に関する「北海道」という単語の場合、「北海道」の座標情報が非定型データに付加されているので、利用者により入力された検索キーワードに基づいて、所定の検索結果を出力することができる、としている。
【先行技術文献】
【特許文献】
【０００５】
【特許文献１】特開２０１４−１９１７１４号公報
【発明の概要】
【発明が解決しようとする課題】
【０００６】
しかしながら、特許文献１の情報検索装置の構成では、属性を有する単語でなければ検索結果を出力できず、より精度の高い検索対象を検索フレーズから検出することができない。
【０００７】
本発明の目的は、より精度の高い検索対象を検出することにある。
【課題を解決するための手段】
【０００８】
本開示の第一態様に係る情報検索装置は、位置情報取得部と、特徴語生成部と、検索部とを備えている。上記位置情報取得部は、位置情報を取得する。上記位置情報は、検索の起点となる地図上の位置を示す。上記特徴語生成部は、特徴語を検索フレーズから生成する。上記特徴語は、検索対象を表す単語と関連している。上記検索部は、蓄積データベースから上記検索対象を検索する。上記蓄積データベースは、上記特徴語と上記検索対象とを蓄積している。上記検索対象は、上記特徴語に対応している。上記検索対象は、地点情報を有している。上記地点情報は、特定の地点を示す。上記検索部は、上記位置情報と、上記特徴語とに基づいて、上記位置から所定の範囲で、上記特徴語に対応した上記検索対象を検索する。
【０００９】
第一態様の情報検索装置は、より精度の高い検索対象を検出することができる。
【００１０】
本開示の第二態様に係る情報検索装置では、上記位置情報取得部は、上記位置情報を取得する。上記位置情報は、機械学習により、上記検索フレーズに含まれる単語から推定される。
【００１１】
第二態様の情報検索装置は、機械学習により、位置情報を推定することができる。第二態様の情報検索装置は、直接的に位置情報を示す単語が検索フレーズに含まれていなくとも、検索フレーズに含まれる単語から間接的に位置情報を推定することができる。
【００１２】
本開示の第三態様に係る情報検索装置では、カテゴリ判別部と、検索記憶装置とを更に備えている。上記カテゴリ判別部は、上記検索フレーズのカテゴリを判別する。上記検索記憶装置は、上記カテゴリに対応する単語が記憶されている。上記蓄積データベースは、上記特徴語が上記カテゴリごとに分類されている。上記カテゴリ判別部は、カテゴリ判定部と、カテゴリ推定部とを有する。上記カテゴリ判定部は、上記検索フレーズに含まれる単語が、予め上記検索記憶装置に記憶された単語と一致するか否かによって、上記カテゴリを判別する。上記カテゴリ推定部は、機械学習により、上記カテゴリ判定部により判定されなかった上記検索フレーズに含まれる単語から上記カテゴリを推定する。上記検索部は、上記位置情報と、上記カテゴリと、上記特徴語とに基づいて、上記位置から所定の範囲、かつ判別された上記カテゴリで、上記特徴語に対応した上記検索対象を検索する。
【００１３】
第三態様の情報検索装置は、機械学習により、カテゴリを推定することができる。第三態様の情報検索装置は、直接的にカテゴリを示す単語が検索フレーズに含まれていなくとも、検索フレーズに含まれる単語から間接的にカテゴリを推定することができる。
【００１４】
本開示の第四態様に係る情報検索装置では、上記特徴語生成部は、上記検索フレーズにおける名詞と形容詞と動詞と副詞とを含めた単語から、上記検索対象を表す単語と類似度のより高い特徴語を生成する。
【００１５】
第四態様の情報検索装置は、上記検索対象を表す単語と類似度のより高い特徴語を生成することで、さらに精度の高い検索対象を検出することができる。
【００１６】
本開示の第五態様に係る情報検索システムは、情報処理端末と、情報検索装置と、情報蓄積装置とを備えている。上記情報検索装置は、上記情報処理端末と通信可能なように構成されている。上記情報蓄積装置は、上記情報検索装置がアクセス可能なように構成されている。上記情報処理端末は、入力装置と、端末通信装置と、表示装置とを備えている。上記入力装置は、検索フレーズが入力できるように構成されている。上記端末通信装置は、上記検索フレーズを、上記情報検索装置に送信することができるように構成されている。上記端末通信装置は、上記検索フレーズに基づいて検索された検索対象を、上記情報検索装置から受信することができるように構成されている。上記表示装置は、上記検索対象を表示することができるように構成されている。
【００１７】
上記情報検索装置は、検索通信装置と、位置情報取得部と、特徴語生成部と、検索部とを備えている。上記検索通信装置は、上記情報処理端末からの上記検索フレーズを受信することができるように構成されている。上記検索通信装置は、上記検索対象を送信することができるように構成されている。上記位置情報取得部は、位置情報を取得することができるように構成されている。上記位置情報は、検索の起点となる地図上の位置を示す。上記特徴語生成部は、特徴語を上記検索フレーズから生成する。上記特徴語は、上記検索対象を表す単語と関連している。上記検索部は、蓄積データベースから上記検索対象を検索することができるように構成されている。
【００１８】
上記検索対象は、地点情報を有している。上記地点情報は、特定の地点を示す。上記検索部は、上記位置情報と、上記特徴語とに基づいて、上記位置から所定の範囲で、上記特徴語に対応した上記検索対象を検索することができるように構成されている。上記情報蓄積装置は、蓄積記憶装置を備える。上記蓄積記憶装置は、上記蓄積データベースを記憶する。上記蓄積データベースは、上記特徴語と、上記検索対象とを蓄積している。上記検索対象は、上記特徴語に対応している。
【００１９】
第五態様の情報検索システムは、より精度の高い検索対象を検出することができる。
【００２０】
本開示の第六態様に係る情報検索システムでは、上記情報処理端末は、端末記憶装置を更に備えている。上記端末記憶装置には、地図情報が記憶される。上記表示装置は、上記検索対象を示す上記特定の地点を上記地図情報の地図に表示する。
【００２１】
第六態様の情報検索システムは、より精度の高い検索対象の地点を地図に表示させることができる。
【００２２】
本開示の第七態様に係る情報検索システムでは、上記特徴語生成部は、上記検索フレーズの統計データを算出する。上記情報蓄積装置は、上記情報処理端末から予め設定した期間内に上記検索通信装置が受信した上記検索フレーズと、上記統計データとを関連づけして、上記蓄積データベースに蓄積する。
【００２３】
第七態様の情報検索システムは、予め設定した期間内の検索フレーズに基づいて、より精度の高い検索対象を検出することができる。
【００２４】
本開示の第八態様に係る情報検索システムでは、上記特徴語生成部は、上記検索フレーズに含まれる単語から、上記検索対象を表す単語と類似度のより高い上記特徴語を生成する。上記特徴語生成部は、上記統計データに基づいて、頻度のより高い上記特徴語を優先して出力する。
【００２５】
第八態様の情報検索システムは、更に精度の高い検索対象を検出することができる。
【発明の効果】
【００２６】
本発明によれば、より精度の高い検索対象を検出することができる。
【図面の簡単な説明】
【００２７】
【図１】本実施形態に係る情報検索システムの概略構成図である。
【図２】本実施形態に係る情報検索システムの処理動作を示すフローチャート図である。
【図３】クラスタに基づいてスポットを検索する処理の一例を示すフローチャート図である。
【図４】検索フレーズからクラスタを決定した具体例を示す図である。
【図５】カテゴリデータベースに格納されているデータテーブルの一例を示す図である。
【図６】スポットデータベースに格納されているデータテーブルの一例を示す図である。
【図７】情報蓄積装置の要部構成の一例を示すブロック図である。
【図８】スポットデータベースを生成する処理の例を示すフローチャート図である。
【図９】カテゴリデータベースを生成する処理の例を示すフローチャート図である。
【発明を実施するための形態】
【００２８】
以下、本実施形態の情報検索システム１０について説明する。情報検索システム１０は、図１に示すように、情報処理端末１と、情報検索装置２と、情報蓄積装置３とを備えている。情報検索装置２は、情報処理端末１と通信可能なように構成されている。情報蓄積装置３は、情報検索装置２がアクセス可能なように構成されている。
【００２９】
情報処理端末１は、入力装置１１と、端末通信装置１２と、表示装置１３とを備えている。入力装置１１は、検索フレーズが入力できるように構成されている。端末通信装置１２は、検索フレーズを、情報検索装置２に送信することができるように構成されている。端末通信装置１２は、検索フレーズに基づいて検索された検索対象を、情報検索装置２から受信することができるように構成されている。表示装置１３は、検索対象を表示することができるように構成されている。
【００３０】
情報検索装置２は、検索通信装置２１と、位置情報取得部２２と、特徴語生成部２４と、検索部２５とを備えている。検索通信装置２１は、情報処理端末１からの検索フレーズを受信することができるように構成されている。検索通信装置２１は、検索対象を送信することができるように構成されている。位置情報取得部２２は、位置情報を取得することができるように構成されている。位置情報は、検索の起点となる地図上の位置を示す。特徴語生成部２４は、特徴語を検索フレーズから生成する。特徴語は、検索対象を表す単語と関連している。検索部２５は、蓄積データベースから検索対象を検索することができるように構成されている。
【００３１】
検索対象は、地点情報を有している。地点情報は、特定の地点を示す。検索部２５は、位置情報と、特徴語とに基づいて、位置から所定の範囲で、特徴語に対応した検索対象を検索することができるように構成されている。
【００３２】
情報蓄積装置３は、蓄積記憶装置３１を備える。蓄積記憶装置３１は、蓄積データベースを記憶する。蓄積データベースは、特徴語と、検索対象とを蓄積している。検索対象は、特徴語に対応している。
【００３３】
本実施形態の情報検索システム１０は、より精度の高い検索対象を検出することができる。
【００３４】
以下、本実施形態の情報検索システム１０における各構成を具体的に説明する。
【００３５】
本実施形態に係る情報検索システム１０では、ユーザが使用する情報処理端末１と、情報検索装置２とが通信できるように構成されている。情報処理端末１と情報検索装置２とは、例えば、公衆通信網５０を介して、無線通信により接続される。図１では、公衆通信網５０を介して、通信が行われる情報の流れを両矢印で例示している。
【００３６】
情報処理端末１は、図１に示すように、入力装置１１と端末通信装置１２と表示装置１３とに加え、端末制御装置１４と、端末記憶装置１５とを備えている。情報処理端末１は、ユーザが使用する端末機器である。端末機器は、例えば、携帯電話、若しくはスマートフォンが挙げられる。
【００３７】
入力装置１１は、検索フレーズが入力できるように構成されている。検索フレーズは、検索対象を検索するための言葉である。検索フレーズは、ユーザによって任意に入力された言葉でもある。検索フレーズは、単語、単語の組合せ、若しくは主語と述語を含んだ成文でもよい。入力装置１１は、入力された検索フレーズを端末通信装置１２から送信指示できるように構成されている。入力装置１１は、例えば、表示装置１３と一体的に構成されたタッチパネル、音声で入力が可能な音声入力装置、若しくは物理キーが挙げられる。入力装置１１は、表示装置１３と一体的に構成されたタッチパネルの構成に限定されるものではなく、単に入力部だけの構成であってもよい。
【００３８】
端末通信装置１２は、情報検索装置２と通信できるように構成されている。端末通信装置１２は、検索フレーズの情報を送信する。端末通信装置１２は、検索対象の情報を受信する。検索対象は、特定の地点を示す情報を有しているので、地点情報でもある。地点情報は、ＰＯＩ（Ｐｏｉｎｔ  Ｏｆ  Ｉｎｔｅｒｅｓｔ）情報となる。具体的には、端末通信装置１２は、公衆通信網５０を用いて、情報検索装置２の検索通信装置２１と通信ができるように構成されている。端末通信装置１２は、公衆通信網５０を利用した公衆通信だけでなく、例えば、有線通信ができるように構成されていてもよい。また、端末通信装置１２は、赤外線通信、Ｗｉ−Ｆｉ（登録商標）、Ｂｌｕｅｔｏｏｔｈ（登録商標）、若しくはＢＬＥ（Ｂｌｕｅｔｏｏｔｈ  Ｌｏｗ  Ｅｎｅｒｇｙ）の通信規格に対応した無線通信ができるように構成されてもよい。
【００３９】
表示装置１３は、各種の情報を表示することができるように構成されている。表示装置１３は、例えば、検索フレーズを表示する。表示装置１３は、地図を表示してもよい。表示装置１３は、情報検索装置２で検索された検索対象の地点情報が示す地点を、地図に重ねて表示してもよい。表示装置１３は、例えば、複数の地点情報を可視化して、端末記憶装置１５に記憶した地図情報が示す地図に重ねて表示することができる。表示装置１３は、入力装置１１と一体的に構成されたタッチパネルの構成に限定されるものではなく、単に表示部だけの構成であってもよい。
【００４０】
端末制御装置１４は、各種の情報処理動作を制御する。端末制御装置１４は、入力装置１１と、端末通信装置１２と、表示装置１３と、端末記憶装置１５と電気的に接続されている。端末制御装置１４は、端末記憶装置１５に記憶されたプログラムに基づいて、入力装置１１と端末通信装置１２と表示装置１３とを制御できるように構成されている。端末制御装置１４は、例えば、ＣＰＵ（Ｃｅｎｔｒａｌ  Ｐｒｏｃｅｓｓｉｎｇ  Ｕｎｉｔ）若しくはＭＰＵ（Ｍｉｃｒｏ  Ｐｒｏｃｅｓｓｉｎｇ  Ｕｎｉｔ）で構成される。
【００４１】
端末記憶装置１５は、電源を切れば情報が消える揮発性記憶装置と、電源を切っても情報が消えない不揮発性記憶装置とを有している。揮発性記憶装置は、端末制御装置１４により処理される情報を一時的に記憶する。揮発性記憶装置は、例えば、地図を示す地図情報及び地図情報に付加する地点情報が記憶される。揮発性記憶装置は、例えば、ＲＡＭ（Ｒａｎｄｏｍ  Ａｃｃｅｓｓ  Ｍｅｍｏｒｙ）が挙げられる。不揮発性記憶装置は、各種の情報処理プログラム及び各種の情報が記憶可能なストレージである。不揮発性記憶装置は、例えば、ＲＯＭ（Ｒｅａｄ  Ｏｎｌｙ  Ｍｅｍｏｒｙ）が挙げられる。ＲＯＭは、例えば、フラッシュメモリ、若しくはＨＤＤ（Ｈａｒｄ  Ｄｉｓｋ  Ｄｒｉｖｅ）が用いられる。
【００４２】
情報検索装置２は、図１に示すように、検索通信装置２１と、検索制御装置２７とを備えている。情報検索装置２は、検索通信装置２１と検索制御装置２７とに加え、検索記憶装置２８を備えている。情報検索装置２は、例えば、サーバにより構成される。検索制御装置２７は、位置情報取得部２２と、カテゴリ判別部２３と、特徴語生成部２４と、検索部２５と、計時部２６とを有している。
【００４３】
検索通信装置２１は、情報処理端末１と通信できるように構成されている。検索通信装置２１は、検索フレーズの情報を、情報処理端末１から受信できるように構成されている。検索通信装置２１は、検索制御装置２７で検索された検索対象の情報を、情報処理端末１に送信することができるように構成されている。即ち、検索通信装置２１は、検索フレーズの情報を受信する。検索通信装置２１は、検索対象の情報を送信する。具体的には、検索通信装置２１は、公衆通信網５０を用いて、情報処理端末１の端末通信装置１２と通信ができるように構成されている。
【００４４】
また、検索通信装置２１は、情報蓄積装置３と通信できるように構成されている。検索通信装置２１は、検索対象を検索するための情報を送信する。検索通信装置２１は、検索した検索対象の情報を情報蓄積装置３から受信する。具体的には、検索通信装置２１は、公衆通信網５０を用いて、情報蓄積装置３の蓄積通信装置３３と通信ができるように構成されている。検索通信装置２１は、公衆通信網５０を利用した公衆通信だけでなく、例えば、有線通信ができるように構成されていてもよい。また、端末通信装置１２は、赤外線通信、Ｗｉ−Ｆｉ（登録商標）、Ｂｌｕｅｔｏｏｔｈ（登録商標）、若しくはＢＬＥの通信規格に対応した無線通信ができるように構成されてもよい。
【００４５】
検索制御装置２７は、検索通信装置２１と、検索記憶装置２８と電気的に接続されている。検索制御装置２７は、位置情報取得部２２と、カテゴリ判別部２３と、特徴語生成部２４と、検索部２５と、計時部２６とが機能するように構成されている。検索制御装置２７は、例えば、検索記憶装置２８に記憶された位置情報取得プログラム、カテゴリ判別プログラム、特徴語生成プログラム、検索プログラム及び計時プログラムを動作させるように駆動する。検索制御装置２７は、例えば、ＣＰＵ若しくはＭＰＵで構成される。
【００４６】
位置情報取得プログラムは、コンピュータ上で実行されることにより、位置情報を取得する位置情報取得部２２として機能する。カテゴリ判別プログラムは、コンピュータ上で実行することにより、検索フレーズのカテゴリを判別するカテゴリ判別部２３として機能する。特徴語生成プログラムは、コンピュータ上で実行されることにより、特徴語を検索フレーズから生成する特徴語生成部２４として機能する。検索プログラムは、コンピュータ上で実行されることにより、情報蓄積装置３に記憶された蓄積データベースから検索対象を検索する検索部２５として機能する。計時プログラムは、コンピュータ上で実行されることにより、年、日、時を計時することが可能な計時部２６として機能する。
【００４７】
位置情報取得部２２は、位置情報を取得する。位置情報は、例えば、経度の情報及び緯度の情報である。位置情報には、経度の情報及び緯度の情報に加え、高度の情報が含まれていてもよい。位置情報取得部２２は、例えば、情報処理端末１から送信される位置情報を取得することができる。情報処理端末１から送信される位置情報としては、例えば、情報処理端末１の入力装置１１で入力された位置情報が挙げられる。また、位置情報取得部２２は、情報処理端末１から送信される検索フレーズから位置情報を取得することができる。
【００４８】
検索フレーズは、テキストデータで構成されている。検索フレーズには、フレーズが含まれている。フレーズは、１つの単語でもよいし、複数の単語の集まりでもよい。フレーズは、成文であってもよい。検索フレーズは、テキストデータを機械的に扱える形式に変換される。検索フレーズは、形態素解析により、複数の単語単位に分解される。ここで、形態素解析は、検索フレーズを、自然言語で意味を持つ最小の単位に分類することができる。形態素解析では、分類した形態素の品詞情報を取得することもできる。形態素解析では、例えば、検索フレーズに含まれる単語が、名詞、形容詞、動詞若しくは副詞であるかどうかの情報を取得することもできる。
【００４９】
形態素解析には、例えば、ＭｅＣａｂ（メカブ）などの形態素解析エンジンを用いることができる。ＭｅＣａｂは、固有表現辞書と一緒に用いることができる。固有表現辞書としては、例えば、Ｎｅｏｌｏｇｄなどのシステム辞書が挙げられる。位置情報取得部２２は、検索フレーズに含まれる単語を得るために、検索フレーズを形態素解析している。位置情報取得部２２は、検索フレーズに含まれる単語を得るために、検索フレーズを形態素解析する構成だけに限られない。位置情報取得部２２は、例えば、カテゴリ判別部２３、特徴語生成部２４、検索部２５、若しくは図示していない形態素解析部が検索フレーズを形態素解析した単語を入手する構成でもよい。位置情報取得部２２は、形態素解析した単語を数値表現にした分散表現を行ってもよい。位置情報取得部２２は、形態素解析した単語の活用形をまとめてもよい。形態素解析した単語の活用形をまとめるためには、例えば、ＦａｓｔＴｅｘｔを用いてもよい。
【００５０】
位置情報取得部２２は、検索フレーズに含まれる単語が地名の場合、地名と位置情報とが対応付いた地名データベースから位置情報を取得することができる。位置情報取得部２２は、例えば、検索フレーズを形態素解析により分解した単語を、検索記憶装置２８に記憶された地名データベースと比較する。位置情報取得部２２は、検索フレーズを形態素解析により分解した単語が地名データベースの地名と一致すれば、一致した地名に対応する位置情報を取得すればよい。
【００５１】
地名データベースは、例えば、県、市、区、町、村若しくは施設の名称と、位置情報とが対応付いて構成されていればよい。ここでは、地名は、市区町村を表す名称だけでなく、施設の名称も含む。言い換えれば、地名は、地理的情報を示す名称である。地名データベースでは、例えば、県の名称と県庁の位置情報と、市の名称と市役所の位置情報と、区の名称と区役所の位置情報、町の名称と町役場の位置情報、村の名称と村役場の位置情報、施設の名称と施設の位置情報とが対応するように構成されている。以下では、検索フレーズに含まれる単語が地名の場合、地名と位置情報とが直接対応付いた地名データベースから位置情報を取得することを、非機械学習による位置情報の取得ともいう。位置情報取得部２２は、非機械学習により、位置情報を取得する場合、データベースに含まれる単語と一致するか否かの硬い検索を行うことになる。
【００５２】
位置情報取得部２２は、検索フレーズに含まれる単語が地名を含まない場合、機械学習により、検索語と位置情報とが対応付いたデータベースから位置情報を取得することができる。位置情報取得部２２は、例えば、機械学習により、検索フレーズを形態素解析により分解された単語と、類似度の高い検索語に置き換える。位置情報取得部２２は、例えば、検索フレーズに形態素解析を行った上、予め記憶されている単語と検索語との類似度で、所望の検索語を選択することができる。位置情報取得部２２は、検索語と位置情報とが対応付いた地名データベースと比較する。位置情報取得部２２は、検索語が地名データベースの地名と一致すれば、一致した地名に対応する位置情報を取得すればよい。言い換えれば、位置情報取得部２２は、地理的情報を示す地名から経度及び緯度の座標値に変換するジオコーディング技術を利用している。
【００５３】
位置情報取得部２２は、情報処理端末１からの位置情報、情報処理端末１からの検索フレーズに含まれる地名の単語、情報処理端末１からの検索フレーズに基づいた検索語の少なくとも１つを利用して、地図上の位置を示す位置情報を取得することができる。位置情報取得部２２は、情報処理端末１からの情報を用いて、地図上の位置を示す位置情報を取得している。本実施形態に係る情報検索装置２では、情報処理端末１から直接的に位置情報を取得できない場合でも、間接的に位置情報を取得することができる。情報検索装置２は、機械学習だけで位置情報を取得する構成と比較して、より低い処理負荷で位置情報を取得することができる。
【００５４】
即ち、本実施形態に係る情報検索装置２では、位置情報取得部２２は、位置情報を取得する。位置情報は、機械学習により、検索フレーズに含まれる単語から推定される。
【００５５】
本実施形態に係る情報検索装置２は、直接的に位置情報を示す単語が検索フレーズに含まれていなくとも、機械学習により、検索フレーズに含まれる単語から間接的に位置情報を推定することができる。
【００５６】
カテゴリ判別部２３は、検索フレーズのカテゴリを判別することができるように構成されている。カテゴリ判別部２３は、情報処理端末１から送信される検索フレーズのカテゴリを判別する。カテゴリは、例えば、温泉、公園、美術館、神社、ライブ、ショッピング、アミューズメント、アウトドア、イベント、グルメ、ラーメン、山が挙げられる。カテゴリは、適宜の種類に分けられている。カテゴリの種類は、例えば、３００種類とすることができる。
【００５７】
カテゴリ判別部２３は、検索フレーズを形態素解析している。カテゴリ判別部２３は、検索フレーズに含まれる単語を得るために、検索フレーズを形態素解析する構成だけに限られない。カテゴリ判別部２３は、例えば、位置情報取得部２２、特徴語生成部２４、検索部２５、若しくは図示していない形態素解析部が検索フレーズを形態素解析した単語を入手する構成でもよい。カテゴリ判別部２３は、形態素解析した単語を数値表現にした分散表現を行ってもよい。カテゴリ判別部２３は、形態素解析した単語の活用形をまとめてもよい。
【００５８】
カテゴリ判別部２３は、検索フレーズに含まれる単語がカテゴリを表すカテゴリ名の場合、カテゴリ名と単語とが対応付いたカテゴリデータベースからカテゴリを直接的に判別することができる。カテゴリ判別部２３は、例えば、検索フレーズを形態素解析により分解した単語を、検索記憶装置２８に記憶されたカテゴリデータベースと比較する。カテゴリ判別部２３は、検索フレーズを形態素解析により分解された単語がカテゴリデータベースのカテゴリ名と一致すれば、一致したカテゴリ名を検索記憶装置２８に検索フレーズと対応させて記憶させればよい。以下では、検索フレーズに含まれる単語がカテゴリ名の場合、カテゴリデータベースからカテゴリの判別を行うことを、カテゴリの判定ともいう。すなわち、カテゴリ判別部２３は、カテゴリの判定により、検索フレーズに含まれる単語がカテゴリ名の場合、カテゴリデータベースからカテゴリの判別を非機械学習で行うカテゴリ判定部２３１を備えているといえる。
【００５９】
カテゴリ判別部２３は、検索フレーズに含まれる単語がカテゴリ名を含まない場合、機械学習により、検索語とカテゴリ名とが対応付いたカテゴリデータベースからカテゴリを推定することができる。カテゴリ判別部２３は、例えば、機械学習により、検索フレーズを形態素解析により分解した単語を、その単語との類似度が高い検索語に置き換える。この場合、カテゴリ判別部２３は、検索フレーズを形態素解析により分解した単語のうち、１つの単語をその単語と類似度の高い検索語に置き換えてもよいし、２つ以上の単語をそれらの単語と類似度の高い検索語に置き換えてもよい。また、カテゴリ判別部２３は、例えば、２つ以上の単語から共起する共起語を抽出し、共起語から予めカテゴリごとにクラスタリングされた単語と高い類似度の検索語に置き換えてもよい。ここで、共起とは、検索フレーズに含まれている所定の単語が、検索フレーズ中などに別の単語と同時に出現することをいう。共起語とは、所定の単語と同時に出現する別の単語をいう。カテゴリは、分類によって使用される単語が異なる場合が多いため、カテゴリ判別部２３は、入力と対応する出力が予め判明している教師データを用いた機械学習でカテゴリ判別を行うことが好ましい。
【００６０】
カテゴリ判別部２３は、例えば、検索フレーズに形態素解析を行った上、予め記憶されている単語と共起語との類似度で、所望の検索語を選択することができる。所望の検索語は、カテゴリ名と一致するように設定されている。カテゴリ判別部２３は、カテゴリ名と一致する検索語をカテゴリデータベースと比較する。カテゴリ判別部２３は、検索語がカテゴリデータベースのカテゴリ名と一致すれば、一致したカテゴリ名が検索フレーズのカテゴリであると推定すればよい。すなわち、カテゴリ判別部２３は、カテゴリの推定により、検索フレーズに含まれる単語と類似する検索語がカテゴリ名の場合、カテゴリデータベースからカテゴリの推定を機械学習で行うカテゴリ推定部２３２を備えているといえる。
【００６１】
カテゴリ判別部２３は、情報処理端末１からの検索フレーズに含まれるカテゴリを示す単語、若しくは情報処理端末１からの検索フレーズに含まれる単語に基づいた検索語を利用して、カテゴリを判別することができる。
【００６２】
本実施形態に係る情報検索装置２では、検索フレーズから直接的にカテゴリを判別できない場合でも、検索フレーズに含まれる単語に基づいて間接的にカテゴリを判別することができる。情報検索装置２は、機械学習により、カテゴリを推定する場合、非機械学習でカテゴリを判定する場合と比較して、より精度よくカテゴリを判別することができる。
【００６３】
言い換えれば、本実施形態に係る情報検索装置２では、カテゴリ判別部２３と、検索記憶装置２８とを更に備えている。カテゴリ判別部２３は、検索フレーズのカテゴリを判別する。検索記憶装置２８には、カテゴリに対応する単語が記憶されている。カテゴリ判別部２３は、カテゴリ判定部２３１と、カテゴリ推定部２３２とを有する。カテゴリ判定部２３１は、検索フレーズに含まれる単語が、予め検索記憶装置２８に記憶された単語と一致するか否かによって、カテゴリを判別する。カテゴリ推定部２３２は、機械学習により、カテゴリ判定部２３１により判定されなかった検索フレーズに含まれる単語からカテゴリを推定する。
【００６４】
本実施形態に係る情報検索装置２は、直接的にカテゴリを示す単語が検索フレーズに含まれていなくとも、機械学習により、検索フレーズに含まれる単語から間接的にカテゴリを推定することができる。情報検索装置２は、カテゴリ判定部２３１とカテゴリ推定部２３２とを有することで、機械学習だけでカテゴリを判定する構成と比較して、より低い処理負荷でカテゴリを判定することができる。
【００６５】
特徴語生成部２４は、検索対象を表す単語と関連する特徴語を生成することができるように構成されている。特徴語生成部２４は、情報処理端末１から送信される検索フレーズから特徴語を生成する。特徴語生成部２４は、検索フレーズから特徴語を生成するために、検索フレーズを形態素解析する。特徴語生成部２４は、例えば、位置情報取得部２２、カテゴリ判別部２３、検索部２５、若しくは図示していない形態素解析部が検索フレーズを形態素解析した単語を入手して、特徴語を生成する構成でもよい。特徴語生成部２４は、形態素解析した単語を数値表現にした分散表現を行う。特徴語生成部２４は、形態素解析した単語の活用形をまとめている。なお、上記「特徴語」は、１つの単語であってもよいし、複数の単語からなる群であってもよい。また、「特徴語の生成」には、特徴語を決定すること、あるいは特徴語を選択することも含まれる。
【００６６】
特徴語生成部２４は、例えば、機械学習により、検索フレーズを形態素解析により分解された単語を、その単語との類似度が高い特徴語に置き換える。特徴語生成部２４は、検索フレーズを形態素解析により分解された単語のうち、１つの単語を類似度の高い特徴語に置き換えてもよいし、２つ以上の単語をそれらの単語と類似度の高い特徴語に置き換えてもよい。特徴語生成部２４は、機械学習により、検索フレーズに含まれる単語から、検索対象を表す単語と類似度のより高い特徴語を生成する。特徴語生成部２４は、例えば、検索フレーズに形態素解析を行った上、予め記憶されている単語と特徴語との類似度で、所望の特徴語を選択することができる。より具体的には、特徴語生成部２４は、特徴語の特徴ベクトルをコサイン類似で測定することにより、どのくらい離れているかを判別することができる。すなわち、特徴語生成部２４は、特徴語の特徴ベクトルをコサイン類似で測定することにより、類似度を判別することができる。
【００６７】
特徴ベクトルは、例えば、形態素解析した単語を数値表現にしたデータを入力データとして、ｗｏｒｄ２ｖｅｃなどのアルゴリズムによって得ることができる。ここで用いるｗｏｒｄ２ｖｅｃなどのアルゴリズムは、入力された単語の特徴ベクトルを出力できるように、機械学習済みとされている。コサイン類似は、２つのベクトルのコサインを計算し、コサインの値を類似度としている。コサイン類似は、ベクトル同士がなす角度の近さを表し、１に近ければ近いほどより類似している。コサイン類似は、０に近ければ近いほどより類似していないことを表している。特徴語生成部２４は、類似度に応じた検索フレーズの統計データを算出してもよい。特徴語生成部２４は、複数の特徴語のうち、統計データに基づいて頻度のより高い特徴語を優先して出力するように構成されていることが好ましい。
【００６８】
特徴語生成部２４は、検索フレーズに含まれる単語から共起語を抽出する。この場合、特徴語生成部２４は、共起語を特徴語としてもよく、検索部２５は、特徴語から検索対象を検索してもよい。特徴語生成部２４が共起語を利用することで、検索対象を表すのに一見無意味のように思われる、相関が付かない単語であっても、検索対象を有効に導き出すことができる。言い換えれば、特徴語生成部２４は、より検索対象を表しやすい特徴ベクトルである特徴語を、特徴ベクトルから機械学習で生成している。
【００６９】
すなわち、特徴語生成部２４は、検索対象を表す単語と関連する特徴語を、検索フレーズから生成する。本実施形態に係る情報検索装置２では、特徴語生成部２４は、検索フレーズにおける名詞と形容詞と動詞と副詞とを含めた単語から、検索対象を表す単語と類似度のより高い特徴語を生成する。
【００７０】
情報検索装置２は、検索対象を表す単語と類似度のより高い特徴語を生成することで、さらに精度の高い検索対象を検出することができる。情報検索装置２は、特に、検索フレーズに含まれる単語が形容詞の場合、少なくとも形容詞を含む単語から特徴語を生成するので、主観的若しくは感情的な意味が含まれる検索対象を検索することができる。
【００７１】
検索部２５は、蓄積データベースから検索対象を検索できるように構成されている。蓄積データベースには、特徴語がカテゴリごとに分類されている。検索対象は、特定の地点を示す地点情報を有している。特定の地点は、地図上における検索対象の位置を表している。地点情報は、例えば、経度の情報及び緯度の情報である。地点情報は、経度の情報及び緯度の情報に加え、高度の情報が含まれていてもよい。検索部２５は、位置情報取得部２２から位置情報を取得する。検索部２５は、カテゴリ判別部２３からカテゴリの情報を取得する。検索部２５は、特徴語生成部２４から特徴語を取得する。検索部２５は、位置情報と、カテゴリと、特徴語とに基づいて、蓄積データベースから検索対象を検索する。検索部２５が検索した検索対象は、上記位置情報が示す位置から所定の範囲、かつ判別されたカテゴリで、特徴語に対応している。言い換えれば、検索部２５は、位置情報と、カテゴリと、特徴語とに基づいて、上記位置情報が示す位置から所定の範囲、かつ判別されたカテゴリで、特徴語に対応した検索対象を検索することができるように構成されている。
【００７２】
計時部２６は、年、日、時を計時することができるように構成されている。計時部２６は、例えば、ＣＰＵのクロック数をカウントすることで、計時できるように構成されればよい。計時部２６は、例えば、情報処理端末１から検索フレーズを検索通信装置２１が受信した日時及び時刻を特定することができる。計時部２６は、検索通信装置２１が受信した検索フレーズを、所定の期間ごとに弁別することができる。計時部２６は、検索フレーズを受信した日時及び時刻を統計データと関連付けて、検索記憶装置２８に記憶させることができる。
【００７３】
検索記憶装置２８は、電源を切れば情報が消える揮発性記憶装置と、電源を切っても情報が消えない不揮発性記憶装置とを有している。揮発性記憶装置は、検索制御装置２７により処理される情報を一時的に記憶する。揮発性記憶装置の一例としては、例えば、ＲＡＭが挙げられる。
【００７４】
不揮発性記憶装置は、位置情報取得プログラム、カテゴリ判別プログラム、特徴語生成プログラム、検索プログラム及び計時プログラムを記憶可能なストレージである。不揮発性記憶装置の一例としては、例えば、ＲＯＭが挙げられる。また、不揮発性記憶装置には、地名データベース、カテゴリデータベース、統計データ、若しくはシステム辞書が記憶されていてもよい。
【００７５】
本実施形態の情報検索システム１０では、特徴語生成部２４は、例えば、検索フレーズの内容が「夜景の綺麗なレストラン」の場合、形態素解析を用いて「夜景」、「綺麗」、「レストラン」の単語を取得する。特徴語生成部２４は、「夜景」、「綺麗」、若しくは「レストラン」と共起する特徴語の類似度を機械学習で判定し、判定された特徴語に基づいて、検索部２５が蓄積データベースから検索対象が曖昧な「レストラン」の地点情報を検索することができる。
【００７６】
情報蓄積装置３は、蓄積記憶装置３１に加え、蓄積制御装置３２と、蓄積通信装置３３とを備えている。情報蓄積装置３は、例えば、データベースサーバにより構成される。
【００７７】
蓄積記憶装置３１は、情報検索装置２が検索する検索対象を蓄積した蓄積データベースを記憶している。蓄積データベースでは、カテゴリごとに検索対象が分類されている。蓄積データベースでは、検索対象が特徴語と対応付いて蓄積されている。
【００７８】
蓄積記憶装置３１は、電源を切れば情報が消える揮発性記憶装置と、電源を切っても情報が消えない不揮発性記憶装置とを有している。揮発性記憶装置は、蓄積制御装置３２により処理される情報を一時的に記憶する。揮発性記憶装置は、例えば、ＲＡＭが挙げられる。不揮発性記憶装置は、各種の情報処理プログラム及び各種の情報を記憶可能なストレージである。不揮発性記憶装置は、例えば、ＲＯＭが挙げられる。不揮発性記憶装置は、蓄積データベースを記憶している。不揮発性記憶装置には、地図を示す地図情報及び地図情報に付加する地点情報が記憶されていてもよい。
【００７９】
蓄積制御装置３２は、蓄積記憶装置３１と、蓄積通信装置３３と電気的に接続されている。蓄積制御装置３２は、蓄積記憶装置３１と、蓄積通信装置３３とを制御できるように構成されている。蓄積制御装置３２は、ＣＰＵ若しくはＭＰＵを用いて構成することができる。蓄積制御装置３２は、例えば、予め蓄積記憶装置３１に記憶されたプログラムに基づいて所定のプログラムを実装することができるように構成されている。
【００８０】
蓄積通信装置３３は、情報検索装置２がアクセスできるように構成されている。蓄積通信装置３３は、検索対象を検索するための情報を情報検索装置２から受信できるように構成されている。蓄積通信装置３３は、検索対象の情報を情報検索装置２へ送信できるように構成されている。
【００８１】
また、情報蓄積装置３は、図示しない外部情報処理装置が提供するＳＮＳ（Ｓｏｃｉａｌ  Ｎｅｔｗｏｒｋｉｎｇ  Ｓｅｒｖｉｃｅ）から蓄積データベースを構築できるように構成されてもよい。情報蓄積装置３は、外部情報処理装置が外部に公開した投稿記事情報に基づいて、情報検索装置２が検索フレーズから特徴語を生成するのと同様にして、生成した特徴語から蓄積データベースを構築することができる。投稿記事情報は、例えば、ユーザが外部情報処理装置へ投稿した投稿記事の情報である。
【００８２】
次に、本実施形態に係る情報検索システム１０全体の動作について説明する。
【００８３】
まず、情報処理端末１と情報検索装置２との関係を説明する。本実施形態に係る情報検索システム１０では、ユーザが情報処理端末１の入力装置１１で検索フレーズを入力する。情報処理端末１は、検索フレーズを送信する指示が入力装置１１で受け付けられた場合、端末通信装置１２から検索フレーズを情報検索装置２に送信する。
【００８４】
また、情報処理端末１は、表示装置１３に表示された地図上の位置をユーザが選択することで、選択された位置を示す位置情報を端末通信装置１２から情報検索装置２に送信するように構成されてもよい。情報検索装置２では、情報処理端末１からの位置情報を受信した場合、位置情報を検索の地図上の起点とすることができる。
【００８５】
次に、情報処理端末１から検索フレーズを受信した情報検索装置２の動作について、図２を用いて説明する。
【００８６】
図２に示すフローチャートでは、情報検索装置２が行う工程のうち、情報検索装置２は、情報処理端末１から検索フレーズを受信する（Ｓ１０１）。情報検索装置２は、受信した検索フレーズを検索記憶装置２８に記憶する。
【００８７】
情報検索装置２は、検索制御装置２７にて動作制御する位置情報取得プログラムによって位置情報の取得を行う位置情報取得工程を行う（Ｓ１０２）。位置情報取得プログラムは、位置情報取得工程において、情報処理端末１から位置情報が送信された場合、位置情報を取得する。位置情報取得プログラムは、位置情報取得工程において、取得可能な位置情報がない場合、検索フレーズから位置情報を取得する。
【００８８】
次に、情報検索装置２は、検索制御装置２７にて動作制御するカテゴリ判別プログラムによって、検索フレーズのカテゴリを判別するカテゴリ判別工程を行う（Ｓ１０３）。カテゴリ判別プログラムは、検索フレーズに地名を示す単語が含まれている場合、カテゴリデータベースからカテゴリ名を判定する。カテゴリ判別プログラムは、検索フレーズに地名を示す単語が含まれていない場合、機械学習により、検索フレーズから検索語を生成する。カテゴリ判別プログラムは、生成された検索語のうち、類似度の高い検索語に基づいてカテゴリデータベースからカテゴリ名を推定する。
【００８９】
続いて、情報検索装置２は、検索制御装置２７にて動作制御する特徴語生成プログラムによって、検索フレーズから検索対象を表す単語と関連する特徴語を生成する特徴語生成工程を行う（Ｓ１０４）。
【００９０】
次に、情報検索装置２は、検索制御装置２７にて動作制御する検索プログラムによって、蓄積データベースから検索対象を検索する検索の実行工程を行う（Ｓ１０５）。
【００９１】
最後に、情報検索装置２は、検索対象を検索すれば、終了してもよい。
【００９２】
本実施形態の情報検索システム１０によれば、ユーザが曖昧なイメージに基づく検索フレーズを情報処理端末１に入力しても、情報検索装置２は、ユーザの主観語若しくは感情語による柔らかな検索を行うことができる。情報検索装置２は、例えば、「激辛ラーメン」という検索フレーズを入力しても、表示装置１３に激辛ラーメンが食べられる可能性のあるお店の位置を、情報処理端末１の表示装置１３で表示される地図上にラーメンのカテゴリに対応する色のマーカで表示させることができる。
【００９３】
すなわち、本実施形態の情報検索システム１０では、情報処理端末１は、端末記憶装置１５を更に備えている。端末記憶装置１５には、地図情報が記憶されている。表示装置１３は、検索対象を示す特定の地点を地図情報の地図に表示する。
【００９４】
本実施形態の情報検索システム１０は、より精度の高い検索対象の地点を、地図に表示させることができる。
【００９５】
また、本実施形態の情報検索システム１０では、特徴語生成部２４は、検索フレーズの統計データを算出する。情報蓄積装置３は、情報処理端末１から予め設定した期間内に検索通信装置２１が受信した検索フレーズと、統計データとを関連づけして、蓄積データベースに蓄積する。
【００９６】
本実施形態の情報検索システム１０は、予め設定した期間内の検索フレーズに基づいて、より精度の高い検索対象を検出することができる。
【００９７】
さらに、本実施形態の情報検索システム１０では、特徴語生成部２４は、検索フレーズに含まれる単語から、検索対象を表す単語と類似度のより高い特徴語を生成する。特徴語生成部２４は、統計データに基づいて、頻度のより高い特徴語を優先して出力するように構成されている。
【００９８】
本実施形態の情報検索システム１０は、更に精度の高い検索対象を検出することができる。
【００９９】
なお、上述の実施形態の情報検索システム１０では、情報処理端末１は、例えば、タッチパネルを備えた構成の場合、表示装置１３に表示された地図を拡大若しくは縮小させて、検索するエリアとしてユーザが指定したい場所をタップすることで、位置情報を入力装置１１へ入力させることができる。
【０１００】
また、情報処理端末１は、検索対象をマーカとして地図上に表すように、表示装置１３で表示する。マーカは、例えば、中心にカテゴリを表すピクトグラムが表示されたバルーンが挙げられる。情報処理端末１は、例えば、カテゴリごとにマーカの色若しくは濃淡を変えて、マーカを含む地図を表示装置１３に表示させてもよい。情報処理端末１は、例えば、検索フレーズに含まれる単語と、特徴語との類似度に応じて、マーカの大きさを変えて、マーカを含む地図を表示装置１３に表示させてもよい。
【０１０１】
さらに、上述の実施形態の情報検索システム１０では、情報処理端末１がナビゲーション機能を有していてもよい。情報処理端末１は、ナビゲーション機能を有することで、表示装置１３に表示した地図上の地点情報にユーザを誘導させることができる。ナビゲーション機能は、情報処理端末１の端末記憶装置１５に記憶され端末制御装置１４によって制御される。ナビゲーション機能は、情報検索装置２の検索記憶装置２８に記憶され検索制御装置２７によって制御されてもよい。情報検索システム１０は、情報処理端末１の表示装置１３において地図及びナビゲーションの表示が可能であれば、情報処理端末１と情報検索装置２とのどちらにナビゲーション機能が搭載されてもよい。
【０１０２】
具体的には、情報検索装置２と情報処理端末１のいずれか一方の装置にナビゲーション機能を記憶させ、他方の装置によってナビゲーション機能を制御するように構成されてもよい。または、情報検索装置２と情報処理端末１の両方にナビゲーション機能を分割して記憶し、いずれか一方の装置、若しくは両方の装置が協動して、ナビゲーション機能を制御するように構成されてもよい。
【０１０３】
上記実施形態の各処理、又は各機能の各々は、単一の装置又は単一のシステムにより集中処理されることで実現されてもよいし、複数の装置又は複数のシステムによって分散処理されることで実現されてもよい。また、上記実施形態の各構成要素は、専用のハードウェアにより構成されてもよい。上記実施形態の各構成要素は、ソフトウェアにより実現可能な構成要素について、プログラムを実行することによって実現されてもよい。
【０１０４】
上記実施形態の各構成要素は、例えば、記録媒体に記録されたソフトウェアのプログラムをＣＰＵが実行することによって実現されてもよい。プログラムは、サーバからダウンロードされることによって実行されてもよいし、所定の記録媒体に記録されたプログラムが読み出されることによって実行されてもよい。また、プログラムを実行するコンピュータは、単数であってもよいし、複数であってもよい。上記実施形態は、集中処理を行うように構成されてもよいし、分散処理を行うように構成されてもよい。
【０１０５】
なお、本発明は、その精神や主旨又は主要な特徴から逸脱することなく、他のいろいろな形で実施することができる。上記実施形態はあらゆる点で単なる例示にすぎず、限定的に解釈してはならない。すなわち、上記実施形態を例として、本発明は、情報検索装置、又は情報検索システムである。
【０１０６】
〔実施形態のまとめ〕
（１：特徴語について）
以上説明した情報検索装置２によれば、検索制御装置２７に含まれる各部の機能により、検索を行うユーザによって入力された検索フレーズが、ユーザの検索したいスポットを直接的に示すものでなかったとしても、妥当なスポットを検出してユーザに提示することができる。
【０１０７】
具体的には、検索制御装置２７には、特徴語生成部２４と検索部２５が含まれている。このうち、特徴語生成部２４は、検索フレーズを形態素解析して得た単語から特徴語を生成する。以下、検索フレーズを形態素解析して得た単語は、入力語と呼ぶ場合もある。なお、本明細書では、特徴語に関して「生成」との語を「特定」、「判定」、「検出」、あるいは「選択」といった意味で用いている。
【０１０８】
ここで、特徴語生成部２４が生成する特徴語は、入力語との類似度が高い語であってもよいし、入力語の共起語であってもよく、それらの両方であってもよい。以下では、入力語との類似度が所定の閾値よりも高い語を、類似語と呼ぶ場合がある。
【０１０９】
類似語を特徴語として用いる場合、特徴語生成部２４は、入力語の特徴を示す特徴情報を生成する。この特徴情報は、入力語の特徴を示すものであればよく、例えば入力語の特徴ベクトルを特徴情報としてもよい。特徴ベクトルは、上述のｗｏｒｄ２ｖｅｃの他、例えばＧｌｏＶｅ、ＷｏｒｄＮｅｔ、あるいはｆａｓｔＴｅｘｔのアルゴリズムを用いることにより算出することもできる。そして、特徴語生成部２４は、蓄積データベースにおいてスポットに対応付けられている各特徴語の特徴ベクトルと、上記算出した特徴ベクトルとの類似度を算出し、類似度が閾値以上の語を特定する。これにより、特徴語生成部２４は、蓄積データベースにおいてスポットに対応付けられている特徴語のうち、入力語に類似した類似語を特定することができる。なお、類似度を算出する手法は特に限定されず、例えばコサイン類似により算出することができる。
【０１１０】
一方、共起語を特徴語として用いる場合、特徴語生成部２４は、入力語の共起語を特定する。なお、共起語は、例えば、ＴＦ−ＩＤＦ（Ｔｅｒｍ  Ｆｒｅｑｕｅｎｃｙ−Ｉｎｖｅｒｓｅ  Ｄｏｃｕｍｅｎｔ  Ｆｒｅｑｕｅｎｃｙ）により抽出可能である。また、特徴語生成部２４は、上述の類似語の共起語を特徴語として用いてもよい。
【０１１１】
そして、検索部２５は、生成された特徴語を用いて蓄積記憶装置３１に記憶されている蓄積データベースを検索し、該蓄積データベースにおいて特徴語に対応付けられているスポットを検出する。なお、「スポット」とは、例えば、地点や場所、あるいは特定の地点や場所に設置されている建造物を意味する。蓄積データベースにおいて、各スポットには、そのスポットの地理的位置を示す位置情報が対応付けられている。上述のように、検索に用いる特徴語は、入力語の類似語または共起語であるから、検索フレーズが、ユーザが検索したいスポットを直接的に示すものでなかったとしても、妥当なスポットを検出してユーザに提示することができる。
【０１１２】
なお、特徴語生成部２４は、検索フレーズを形態素解析して得た単語のうち、所定の品詞の単語を特徴語生成の対象としてもよい。上記所定の品詞は、例えば名詞、形容詞、動詞、および副詞であってもよい。これにより、有意な特徴語を生成し難い、例えば接続詞、感動詞、助詞、助動詞といった品詞を除外して、妥当性の高い特徴語を生成することができる。
【０１１３】
（２：位置情報について）
検索制御装置２７には、位置情報取得部２２が含まれていてもよい。位置情報取得部２２は、ユーザが使用する情報処理端末１から受信した情報に基づいて、スポットの検索範囲を決める基準となる位置情報を取得する。そして、検索部２５は、取得された位置情報が示す位置を基準として所定の範囲を設定し、その範囲内のスポットを検出する。これにより、検索を行うユーザが関心のある地域に絞ったスポットの検索が可能になる。
【０１１４】
位置情報取得部２２は、検索フレーズを形態素解析して得た単語から上記位置情報を取得してもよい。例えば、検索フレーズを形態素解析して得た単語に、位置を示す単語が含まれていれば、位置情報取得部２２は、位置を示す単語と位置情報とが対応付けられた地名データベースを利用して位置情報を取得してもよい。なお、位置を示す単語としては、例えば、地名が挙げられる。
【０１１５】
また、位置情報取得部２２は、位置情報を特定するための位置情報データベースを用いて位置情報を取得してもよい。位置情報データベースは、単語とその単語に対応する位置を示す位置情報とが対応付けられたデータベースである。位置情報取得部２２は、位置情報データベースを用いて位置情報を取得する場合、検索フレーズを形態素解析して得た単語、その単語の類似語、およびその単語の共起語の少なくともいずれかを用いて上記位置情報データベースを検索する。これにより、位置情報取得部２２は、検索フレーズを形態素解析して得た単語に関連する位置情報を取得することができる。なお、類似語や共起語は、機械学習済みのモデルを用いて特定すればよい。この場合、位置情報取得部２２は、検索フレーズに含まれる単語から機械学習により推定した位置情報を取得することになる。
【０１１６】
また、情報処理端末１は、自機の位置を示す位置情報を例えばＧＰＳ（Ｇｌｏｂａｌ  Ｐｏｓｉｔｉｏｎｉｎｇ  Ｓｙｓｔｅｍ）を利用して取得し、取得した位置情報を情報検索装置２に送信してもよい。この場合、位置情報取得部２２は、情報処理端末１から送信された位置情報を取得してもよい。このような位置情報を用いることにより、情報処理端末１の現在地周辺のスポットを検出することも可能になる。
【０１１７】
（３：カテゴリについて）
検索制御装置２７には、カテゴリ判別部２３が含まれていてもよい。また、カテゴリ判別部２３には、カテゴリ判定部２３１およびカテゴリ推定部２３２が含まれていてもよい。カテゴリ判別部２３は、検索フレーズを形態素解析して得た単語のカテゴリを判定する。また、この場合、蓄積データベースにおいて、各スポットにそのスポットのカテゴリを対応付けておく。これにより、検索部２５は、検索フレーズに応じたスポットのうち、カテゴリ判別部２３が判定したカテゴリのスポットを検出することが可能になる。
【０１１８】
カテゴリ判定部２３１は、例えば、単語とその単語に対応するカテゴリとを対応付けたカテゴリデータベースを用いることにより、検索フレーズを形態素解析して得た単語に対応するカテゴリを判定することができる。
【０１１９】
カテゴリ推定部２３２は、機械学習済みのアルゴリズムを用いて、検索フレーズを形態素解析して得た単語に応じたカテゴリを特定する。上記アルゴリズムは、例えば単語の特徴情報と、カテゴリとの対応関係を機械学習したものであってもよい。単語の特徴情報は、例えば特徴ベクトルである。単語の特徴情報とカテゴリとの対応関係を機械学習したアルゴリズムを用いる場合、カテゴリ推定部２３２は、検索フレーズを形態素解析して得た単語の特徴情報を取得し、取得した特徴情報を上記アルゴリズムに入力することにより、カテゴリを特定することができる。また、カテゴリ推定部２３２は、検索フレーズを形態素解析して得た単語の類似語、および検索フレーズを形態素解析して得た単語の共起語の少なくともいずれかを特定してもよい。そして、カテゴリ推定部２３２は、特定した類似語および共起語の少なくともいずれかを用いて上記カテゴリデータベースを検索することにより、カテゴリを特定してもよい。なお、類似語や共起語は、機械学習済みのモデルを用いて特定すればよい。この場合、カテゴリ推定部２３２は、検索フレーズに含まれる単語からそのカテゴリを機械学習により推定することになる。また、例えば、カテゴリ推定部２３２は、あるカテゴリに属する単語の特徴ベクトルと、検索フレーズを形態素解析して得た単語の特徴ベクトルとの類似度を算出してもよい。この場合、カテゴリ推定部２３２は、算出した類似度が閾値以上であれば、検索フレーズを形態素解析して得た上記単語が、上記あるカテゴリに属すると判定する。
【０１２０】
判定したカテゴリは、後述する重み付けの際に用いてもよいし、検索部２５の検索範囲を絞り込むために用いてもよい。後者の場合、検索部２５は、蓄積データベースに蓄積されているスポットのうち、カテゴリ判別部２３が判定したカテゴリに属するスポットを検索対象として、特徴語生成部２４が生成した特徴語が対応付けられているスポットを検出する。例えば、検索フレーズに含まれる「風景」との単語のカテゴリをカテゴリ判別部２３が「観光地」と判定した場合を考える。この場合、検索部２５は、「風景」から生成された特徴語を用いて、蓄積データベースに蓄積されているスポットのうち「観光地」のカテゴリが対応付けられているスポットを検索する。これにより、検索範囲を適切に絞り込んで、妥当な検索結果を迅速に得ることが可能になる。
【０１２１】
（４：検索における優先度について）
特徴語生成部２４は、複数の特徴語を生成できる場合、それら複数の特徴語のうち優先度の高いものを生成してもよい。上記優先度は、例えば情報検索システム１０において、過去に検索に用いられた累積回数、過去の所定期間に検索に用いられた頻度、および累積回数と使用頻度の両方または一方に基づいて算出した順位の少なくともいずれかであってもよい。例えば、特徴語生成部２４は、特徴語として「景色」と「レストラン」を生成可能である場合に、「レストラン」の直近一週間の検索頻度が「景色」の直近一週間の検索頻度よりも高ければ、「レストラン」を特徴語としてもよい。
【０１２２】
なお、特徴語生成部２４は、予め設定した期間内に情報処理端末１から受信した検索フレーズを対象として、上記のような回数や頻度を示す情報を算出して、統計データとして記憶しておけばよい。また、記憶した統計データは、情報処理端末１から受信した検索フレーズと関連付けしておく。
【０１２３】
また、特徴語生成部２４が複数の特徴語を生成した場合に、検索部２５がそれら複数の特徴語のうち優先度の高いものを用いて検索を行ってもよい。また、検索部２５は、優先度の高い特徴語による検索結果を、優先度のより低い特徴語による検索結果よりも優先して出力してもよい。例えば、検索部２５は、優先度の高い特徴語による検索結果から順に出力してもよい。また、上記の統計データは、後述する重み付けに利用することもできる。
【０１２４】
（５：蓄積データベースの構築）
情報蓄積装置３は、検索対象となるスポットに関連する各種情報を取得して、蓄積データベースを構築することができる。例えば、情報蓄積装置３は、上述のようにＳＮＳに投稿された記事から特徴語を生成してもよいし、スポットを紹介したウェブサイトや、スポットの口コミ情報を掲載したサイトに投稿された記事から特徴語を生成してもよい。以下、ＳＮＳに投稿された記事、若しくはスポットの口コミ情報を掲載したサイトに投稿された記事をコメントともいう。また、ウェブサイトを、サイトと略称する場合がある。
【０１２５】
例えば、情報蓄積装置３は、スポット「展望台Ｘ」についての口コミサイトに投稿された「眺望が最高」とのコメントを取得した場合、これを形態素解析して「眺望」、「最高」との単語を得る。次に、情報蓄積装置３は、これらの単語の特徴ベクトルを算出し、算出した特徴ベクトルを用いて、各単語と特徴ベクトルが類似した特徴語を生成する。そして、情報蓄積装置３は、蓄積データベースにスポット「展望台Ｘ」を追加し、形態素解析によって得た単語と、その単語から生成した特徴語とを対応付けて記録する。なお、蓄積データベースにスポット「展望台Ｘ」が既に記録されていれば、既に記録済みのスポットに、形態素解析によって得た単語と、その単語から生成した特徴語とを追加で対応付けて記録する。
【０１２６】
また、特徴語の代わりに、あるいは特徴語に加えて、共起語や、後述のクラスタを対応付けて記録してもよい。また、上述のようなサイトでは、スポットが点数や星の数などによって評価されていることがある。その場合、情報蓄積装置３は、スポットの評価についても蓄積データベースに記録してもよい。この他にも、例えばサイトへのアクセス数、当該スポットのページへのアクセス数、当該スポットへのコメント数、コメントの投稿日時、サイト名についても蓄積データベースに記録してもよい。なお、サイト名は例えばサービス名であってもよい。これらの情報は、例えばスポットの重み付けに利用することができ、これにより例えば評価の高いスポットを優先して検索することも可能になる。
【０１２７】
以上のように、情報蓄積装置３は、口コミ情報に基づいて蓄積データベースを拡充することができ、これにより新たなスポットを検索できるようにしたり、実際にスポットを訪れた人の感想をベースにした検索を行うことを可能にしたりすることも可能になる。例えば、スポット「展望台Ｘ」についての「眺望が最高」とのコメントに基づいて特徴語を記録しておけば、「解放感が最高」のような曖昧な検索フレーズからスポット「展望台Ｘ」を検出することも可能になる。
【０１２８】
また、スポットに関連する情報に基づいて蓄積データベースを構築することにより、上述の例のように、曖昧な検索フレーズが入力された場合であってもユーザの意に沿ったスポットを検出することが可能である。これに対し、一般的な検索サイトでは、スポット以外の多様な対象についても検索対象に含めなければならないため、曖昧な検索フレーズでユーザの意に沿ったスポットは通常は検出できない。例えば、一般的な検索サイトで「解放感が最高」とのフレーズを検索しても、スポット「展望台Ｘ」は検出されないか、あるいは検出されても他の雑多な検索結果に埋もれて認識困難な状態となってしまう。
【０１２９】
〔クラスタを用いた検索〕
上記実施形態で説明したように、特徴語生成部２４は、１つの単語を「特徴語」としてもよいし、複数の単語からなる語群を「特徴語」としてもよい。以下では後者の場合について図３に基づいて、より詳細に説明する。
【０１３０】
複数の単語からなる語群を特徴語とする場合、蓄積データベースでは、単語の特徴を示す特徴情報が類似した複数の特徴語からなる特徴語群と検索対象であるスポットとが対応付けられている。上述のように、特徴情報は例えば特徴ベクトルである。また、以下では、特徴語群をクラスタと呼ぶ。検索フレーズが入力されると、特徴語生成部２４は、その検索フレーズに含まれる単語の特徴情報に基づいて当該単語に対応するクラスタを決定する。そして、検索部２５は、特徴語生成部２４が決定したクラスタに対応付けられているスポットを蓄積データベースから検出する。
【０１３１】
この構成によれば、スポットに直接対応付けられていない検索フレーズが入力された場合であっても、検索を行うユーザの意に沿った妥当なスポットを検出することが可能になる。例えば、蓄積データベースにおいて、「風景」、「景観」といった類似した特徴語からなるクラスタＡと、スポットＡとが対応付けられていた場合に、「景色」との単語を含む検索フレーズが入力されたとする。この場合、「景色」は、「風景」や「景観」と類似しているから、「景色」はクラスタＡに属すると決定されるので、蓄積データベースからスポットＡを検出することができる。なお、特徴情報が類似しているか否かについては、例えば類似度が所定の閾値以上であるか否かにより判定できる。
【０１３２】
また、複数の単語からなる語群を特徴語とする場合、単語の特徴を示す特徴情報が類似した複数の特徴語からなるクラスタとカテゴリとが対応付けられたカテゴリデータベースを用いてもよい。この場合、カテゴリ判別部２３は、検索フレーズに含まれる単語の特徴情報に基づいて決定されたクラスタに対応付けられているカテゴリをカテゴリデータベースから検出する。この構成によれば、カテゴリに直接対応付けられていない検索フレーズが入力された場合であっても、検索を行うユーザの意に沿った妥当なカテゴリを判定することが可能になる。
【０１３３】
図３は、クラスタに基づいてスポットを検索する処理の一例を示すフローチャートである。また、以下では、図３のフローに従ったスポット検索の具体例を図４から図６に基づいて説明する。図４は、検索フレーズからクラスタを決定した具体例を示す図であり、図５は、カテゴリデータベースに格納されているデータテーブルの一例を示す図であり、図６は、スポットデータベースに格納されているデータテーブルの一例を示す図である。なお、カテゴリデータベースとスポットデータベースは、上述の蓄積データベースに対応している。また、図３の検索フレーズおよび位置情報の取得（Ｓ２０１、Ｓ２０２）については図２と同様であるからここでは説明を省略する。
【０１３４】
Ｓ２０３では、特徴語生成部２４は、検索フレーズを形態素解析して得た各単語の特徴ベクトルを算出する。図４には、例１として「景色がきれい」、例２として「景色  きれい」、例３として「風景  美しい」、例４として「楽しいデート」の４通りの検索フレーズが入力された例を示している。例えば、例１の検索フレーズが入力された場合、Ｓ２０３では、「景色がきれい」を形態素解析して得られた単語のうち、助詞である「が」を除いた「景色」と「きれい」について特徴ベクトルが算出される。図示の例では、ｎ次元の特徴ベクトルを算出している。ｎは自然数であればよく、例えばｎ＝３００としてもよい。
【０１３５】
Ｓ２０４では、特徴語生成部２４は、検索フレーズを形態素解析して得た各単語のクラスタを決定する。具体的には、特徴語生成部２４は、Ｓ２０３で算出した特徴ベクトルを、所定のクラスタリングモデルに入力することにより、当該特徴ベクトルに対応するクラスタ、すなわち検索フレーズを形態素解析して得た各単語のクラスタの出力を得る。例えば、図４の例では、「景色」と「風景」はいずれもクラスタＩＤが「１５」のクラスタに属すると決定されている。また、「きれい」と「美しい」はいずれもクラスタＩＤが「８」のクラスタに属すると決定されている。なお、クラスタリングモデルは、単語の特徴ベクトルを入力データとして、その単語に対応するクラスタを出力するように機械学習されたモデルである。単語に対応するクラスタとは、その単語と特徴ベクトルが類似した特徴語を構成要素に含むクラスタである。クラスタリングモデルの生成方法については後述する。
【０１３６】
Ｓ２０５では、カテゴリ判別部２３は、Ｓ２０４で決定されたクラスタに基づいて、検索フレーズを形態素解析して得た各単語のカテゴリを判定する。この判定には、図５に示すような、クラスタＩＤと、特徴語と、重みと、カテゴリとが対応付けられたカテゴリデータベースを用いることができる。
【０１３７】
具体的には、まず、カテゴリ判別部２３は、カテゴリデータベースからＳ２０４で決定されたクラスタが対応付けられているカテゴリを抽出する。例えば、図４の例１「景色がきれい」では、Ｓ２０４でクラスタはＩＤ「１５」とＩＤ「８」であると判定されるから、図５のカテゴリデータベースを用いて、カテゴリ「名所・旧跡」と、カテゴリ「レストラン」が抽出される。
【０１３８】
次に、カテゴリ判別部２３は、検索フレーズを形態素解析して得た各単語と、その単語に対応するカテゴリの各特徴語との類似度を算出し、算出した類似度に重みを乗算する。なお、類似度の算出には、ｆａｓｔＴｅｘｔの単語間類似度推定モデルを用いてもよい。そして、算出した値をカテゴリ毎に合計し、その合計値の大きい順に上記抽出したカテゴリを順位づけする。以下、カテゴリ毎に合計した合計値を、スコアともいう。
【０１３９】
例えば、図４の例１「景色がきれい」の場合、カテゴリ「名所・旧跡」に関して、検索フレーズを形態素解析して得た単語「景色」と、カテゴリデータベースに登録されている特徴語「風景」の類似度が算出される。単語「きれい」についても同様である。そして、算出された類似度に、カテゴリデータベースに登録されている重みが乗算される。例えば、単語「景色」と特徴語「風景」の類似度が０．８であり、単語「きれい」と特徴語「美しい」の類似度が０．７であったとすれば、カテゴリ「名所・旧跡」のスコアは下記のように算出される。
【０１４０】
単語「景色」について：類似度「０．８」×重み「０．８８」＝０．７０４
単語「きれい」について：類似度「０．７」×重み「０．７６」＝０．５３２
カテゴリ「名所・旧跡」のスコア：０．７０４＋０．５３２＝１．２３６
なお、カテゴリデータベースにクラスタＩＤ「１５」の特徴語が複数登録されていた場合には、各特徴語について上記と同様の類似度の算出を重みの乗算とを行う。クラスタＩＤ「８」についても同様である。そして、乗算によって得られた値をカテゴリ毎に合計して上記スコアを算出し、そのスコアの大きい順に上記抽出したカテゴリを順位づけする。
【０１４１】
Ｓ２０６では、検索部２５は、Ｓ２０４で決定されたクラスタに基づいて、スポットの検索を行う。この検索には、図６に示すような、クラスタＩＤと、特徴語と、重みと、スポットＩＤとが対応付けられたスポットデータベースを用いることができる。
【０１４２】
具体的には、まず、検索部２５は、スポットデータベースからＳ２０４で決定されたクラスタが対応付けられているスポットを抽出する。例えば、図４の例１「景色がきれい」では、Ｓ２０４でクラスタはＩＤ「１５」とＩＤ「８」であると決定されるから、図６のスポットデータベースからスポット「名所・旧跡」と、スポット「レストラン」が抽出される。
【０１４３】
次に、検索部２５は、検索フレーズを形態素解析して得た各単語と、その単語に対応するスポットの各特徴語との類似度を算出し、算出した類似度に重みを乗算する。なお、類似度の算出には、ｆａｓｔＴｅｘｔの単語間類似度推定モデルを用いてもよい。そして、算出した値をスポット毎に合計し、その合計値の大きい順に上記抽出したスポットを順位づけする。以下、上記のようにして算出した値をスポット毎に合計した合計値を、スコアともいう。
【０１４４】
例えば、図４の例１「景色がきれい」の場合、抽出されたスポット「名所Ａ」に関して、検索フレーズを形態素解析して得た単語「景色」と、スポットデータベースに登録されている特徴語「景観」の類似度が算出される。なお、単語「きれい」は、スポットデータベースに登録されている特徴語「きれい」と一致するから類似度は１となる。そして、算出した類似度に、スポットデータベースに登録されている重みが乗算される。例えば、単語「景色」と特徴語「景観」の類似度が０．９であれば、スポット「名所Ａ」のスコアは下記のように算出される。
【０１４５】
単語「景色」について：類似度「０．９」×重み「０．５３」＝０．４７７
単語「きれい」について：類似度「１．０」×重み「０．４６」＝０．４６
スポット「名所Ａ」のスコア：０．４７７＋０．４６＝０．９３７
なお、スポットデータベースにクラスタＩＤ「１５」の特徴語が複数登録されていた場合には、各特徴語について上記と同様の類似度の算出を重みの乗算とを行う。また、クラスタＩＤ「８」についても同様である。そして、乗算によって得られた値をスポット毎に合計し、その合計値であるスコアの大きい順に上記抽出したスポットを順位づけする。
【０１４６】
Ｓ２０７では、検索部２５は、Ｓ２０５のカテゴリ判定結果を加味して、Ｓ２０６で検出したスポットについて、最終の順位付けを行う。例えば、検索部２５は、Ｓ２０５のカテゴリ判定において、スコアが最も大きかったカテゴリに属するスポットを、Ｓ２０６で算出したスコアの大きい順に順位づけしてもよい。なお、各スポットがいずれのカテゴリに属するかは予め定めておく。
【０１４７】
そして、検索部２５は、スコアが最も大きかったカテゴリに属するスポットを全て順位づけした後、スコアが次に大きかったカテゴリに属するスポットを全て順位づけする、という処理を、検出された全スポットの順位が決まるまで繰り返してもよい。なお、検索部２５は、所定の順位まで決定された段階で上記の繰り返し処理を終了してもよい。所定の順位としては、例えば上位２０位が挙げられる。
【０１４８】
なお、カテゴリとスポットのスコアに基づく順位付けの方法は上記の例に限られない。例えば、検索部２５は、Ｓ２０６で検出した各スポットについて、そのスポットのスコアと、そのスポットが属するカテゴリのスコアの合計値を算出し、その合計値の順にスポットを順位づけしてもよい。この場合、カテゴリのスコアは、スポットのスコアの重み付けに用いられているといえる。また、Ｓ２０７の順位づけには、上述の統計データを加味してもよい。この場合、例えば評価の高いスポットの順位が高くなるようにすることもできる。
【０１４９】
最後にＳ２０９では、検索通信装置２１は、検索結果を情報処理端末１に通知する。これにより、情報処理端末１の端末制御装置１４は、上記検索結果を表示装置１３に表示させる。この際、検索通信装置２１は、検索結果のうちＳ２０８で決定された順位が上位の所定数のみを情報処理端末１に通知してもよい。上位の所定数としては、例えば検索結果のうち上位１０件が挙げられる。
【０１５０】
また、検索通信装置２１は、Ｓ２０８で決定された順位についても情報処理端末１に通知してもよい。この場合、端末制御装置１４は、上記検索結果をその順位に応じた表示態様で表示装置１３に表示させることができる。例えば、上記検索結果を地図上に表示させる場合、当該地図上において、順位が高いスポットほど大きいマーカを表示させてもよい。これにより、検出されたスポットのうちいずれの妥当性が高いかをユーザに認識させることができる。
【０１５１】
以上のように、検索フレーズに対応するクラスタを決定し、決定したクラスタを用いてスポットを検索することにより、多様な検索フレーズから妥当なスポットを検出することが可能になる。例えば、検索フレーズが図４の例１「景色がきれい」であっても、図４の例２「景色  きれい」であっても、図４の例３「風景  美しい」であっても、同様のスポットを検出することができる。また、検索フレーズが例１〜例３と全く異なる図４の例４「楽しいデート」である場合、例１〜例３とは異なるクラスタが決定され、それに応じて異なるスポットとして、例えばアミューズメントパークＦが検出される。
【０１５２】
また、クラスタはカテゴリの特定に用いることもでき、カテゴリを特定することにより、そのカテゴリの範疇のスポットを検出することができる。さらに、スポットと特徴語の組み合わせ、あるいはカテゴリと特徴語の組み合わせについて、関連性の高い組み合わせほど大きい重みを設定しておくことにより、妥当性の高いスポットを優先して検出することができる。
【０１５３】
（カテゴリ判定・スポット検索の変形例）
Ｓ２０５のカテゴリ判定では、検索フレーズを形態素解析して得た単語と、カテゴリデータベースに登録されている特徴語との類似度を算出しているが、この処理は省略することも可能である。この場合、Ｓ２０５では、カテゴリ判別部２３は、カテゴリに対応付けられた各クラスタＩＤの重み値の和を算出し、その算出値を当該カテゴリのスコアとしてもよい。
【０１５４】
同様に、Ｓ２０６のスポット検索においても類似度の算出は省略することが可能である。この場合、Ｓ２０６では、検索部２５は、スポットに対応付けられた各クラスタＩＤの重み値の和を算出し、その算出値を当該カテゴリのスコアとしてもよい。
【０１５５】
〔カテゴリデータベースとスポットデータベースの生成〕
（１：実現するための構成）
情報検索システム１０は、カテゴリデータベースとスポットデータベースの生成機能を備えていてもよい。この機能を実現するための構成要素は、例えば情報検索装置２や情報蓄積装置３に設けてもよい。また、情報検索システム１０にこの機能を有する装置を別途追加してもよい。
【０１５６】
以下では、情報蓄積装置３が、カテゴリデータベースとスポットデータベースの生成機能を備えている例を図７に基づいて説明する。図７は、情報蓄積装置の要部構成の一例を示すブロック図である。図示のように、蓄積制御装置３２には、クラスタリングモデル生成部３２１、特徴語抽出部３２２、クラスタ決定部３２３、スポットデータベース生成部３２４、カテゴリ分類部３２５、およびカテゴリデータベース生成部３２６が含まれる。以下では、データベースを、ＤＢと省略することもある。これら各部の機能は例えばプログラムにより実現することもできる。また、カテゴリデータベースとスポットデータベースの生成には、所定のサイトに書き込まれた口コミのデータを用いるとする。また、１つの口コミには少なくとも１つの文が含まれているとする。ここで、所定のサイトは、複数のサイトであってもよいし、ＳＮＳであってもよい。また、以下では、口コミのデータを単に口コミと略称する場合がある。
【０１５７】
クラスタリングモデル生成部３２１は、単語をクラスタリングするためのクラスタリングモデルを生成する。クラスタリングは、例えば特徴ベクトルの類似度に基づいて行ってもよく、これにより大まかに類似した語群を１まとめのクラスタとして扱うことができる。なお、上記「大まかに類似した語群」は、大まかな類義語群ともいえる。単語の特徴ベクトルの算出には、例えばｆａｓｔＴｅｘｔのベクトル化モデルを利用してもよい。生成されたクラスタリングモデルは、図３のＳ２０４におけるクラスタの決定に用いられる。クラスタリングを行うことにより、クラスタ単位で検索を行うことができるので、検索を効率化し、検索を高速化することも可能になる。
【０１５８】
特徴語抽出部３２２は、入力された文における特徴語を抽出する。特徴語の抽出には、例えば共起語解析を利用することができる。具体的には、特徴語抽出部３２２は、入力された文を形態素解析することで得られた単語群に含まれる各単語について、ＴＦ−ＩＤＦ値を算出する。そして、特徴語抽出部３２２は、算出したＴＦ−ＩＤＦ値によって、上記単語群に含まれる単語を順位づけし、上位に順位づけされた単語を特徴語として抽出する。また、ＴＦ−ＩＤＦ値は特徴語の確からしさを示す数値であるから、特徴語抽出部３２２は、抽出した特徴語のＴＦ−ＩＤＦ値をその特徴語の重み値とする。
【０１５９】
クラスタ決定部３２３は、クラスタリングモデル生成部が生成したクラスタリングモデルを用いて、特徴語抽出部３２２が抽出した特徴語のクラスタを決定する。決定されたクラスタは、特徴情報が類似した複数の特徴語を構成要素としたものとなる。
【０１６０】
スポットＤＢ生成部３２４は、スポットと、特徴語と、そのクラスタと、重み値とを対応付けて、図６に示すようなスポットデータベースを生成する。特徴語と重み値は、特徴語抽出部３２２が抽出および算出したものである。また、クラスタはクラスタ決定部３２３が決定したものである。
【０１６１】
カテゴリ分類部３２５は、入力された文を所定の複数のカテゴリに分類する。分類には、教師あり機械学習により構築した分類モデルを用いてもよい。該分類モデルとしては、例えばｆａｓｔＴｅｘｔのテキスト分類モデルを用いてもよい。上記機械学習においては、カテゴリが既知の文を教師データとする。例えば、所定のサイトに書き込まれた口コミのそれぞれについて、人手等によってカテゴリを対応付けて教師データとしてもよい。
【０１６２】
カテゴリＤＢ生成部３２６は、カテゴリと、特徴語と、そのクラスタと、重み値とを対応付けて、図５に示すようなカテゴリデータベースを生成する。特徴語と重み値は、特徴語抽出部３２２が抽出および算出したものである。また、クラスタはクラスタ決定部３２３が決定したものである。
【０１６３】
（２：処理の流れ）
図８にはスポットデータベースを生成する処理の例を示している。Ｓ３０１では、クラスタリングモデル生成部３２１がクラスタリングモデルを生成する。例えば、クラスタリングモデル生成部は、所定のサイトに書き込まれた口コミの全てを形態素解析して得られた全単語について特徴ベクトルを算出し、算出した特徴ベクトルに基づいてクラスタリングモデルを生成してもよい。この場合、生成されるクラスタリングモデルは、入力された単語を、その単語と特徴ベクトルが類似したクラスタに分類するモデルとなる。このようなモデルの生成には、例えばｆａｓｔＴｅｘｔを利用することもできる。
【０１６４】
Ｓ３０２では、特徴語抽出部３２２が、各スポットの口コミから特徴語と重みを抽出する。特徴語と重みの抽出は、上述のように、ＴＦ−ＩＤＦ値を用いて行うことができる。なお、各口コミとスポットとの対応関係は、その口コミがいずれのスポットについて書き込まれた口コミであるか等に応じて予め特定しておく。例えば、所定のサイトにおける名所Ａを紹介するページに書き込まれた口コミであれば、名所Ａと対応付けて記憶しておくことにより、特徴語抽出部３２２がその口コミを名所Ａの口コミであると特定することができる。
【０１６５】
Ｓ３０３では、クラスタ決定部３２３が、Ｓ３０１で生成されたクラスタリングモデルを用いて、Ｓ３０２で抽出された特徴語のクラスタを決定する。上記Ｓ３０２の処理と、Ｓ３０３の処理により、各スポットについて書き込まれた口コミのそれぞれについて、特徴語と、重みと、クラスタが決定される。
【０１６６】
Ｓ３０４では、スポットＤＢ生成部３２４が、上記のようにして決定された特徴語、重み、およびクラスタを、これらに対応するスポットと対応付けてスポットデータベースに格納する。これにより、各スポットに対し、特徴語とクラスタと重みとが対応付けられたレコードがスポットデータベースに追加される。なお、スポットデータベースが未生成であれば、Ｓ３０４ではスポットデータベースが生成される。
【０１６７】
続いて、図９について説明する。図９は、カテゴリデータベースを生成する処理の例を示すフローチャートである。Ｓ４０１では、カテゴリ分類部３２５が、所定のサイトに書き込まれた各口コミをカテゴリに分類する。
【０１６８】
Ｓ４０２では、特徴語抽出部３２２が、各カテゴリの口コミから特徴語と重みを抽出する。特徴語と重みの抽出は、上述のように、ＴＦ−ＩＤＦ値を用いて行うことができる。なお、Ｓ４０２では、Ｓ３０２で抽出した特徴語と重みを流用してもよい。
【０１６９】
Ｓ４０３では、クラスタ決定部３２３が、Ｓ３０１で生成されたクラスタリングモデルを用いて、Ｓ４０２で抽出された特徴語のクラスタを決定する。上記Ｓ３０２の処理と、Ｓ４０３の処理により、各カテゴリの口コミのそれぞれについて、特徴語と、重みと、クラスタが決定される。
【０１７０】
Ｓ４０４では、カテゴリＤＢ生成部３２６が、上記のようにして決定された特徴語、重み、およびクラスタを、これらに対応するカテゴリと対応付けてカテゴリデータベースに格納する。これにより、各カテゴリに対し、特徴語とクラスタと重みとが対応付けられたレコードがカテゴリデータベースに追加される。なお、カテゴリデータベースが未生成であれば、Ｓ４０４ではカテゴリデータベースが生成される。
【０１７１】
（３：まとめ）
以上のように、クラスタリングモデル生成部３２１は、口コミを形態素解析して得られた各単語について特徴ベクトルを算出し、算出した特徴ベクトルに基づいてクラスタリングモデルを生成する。このようにして生成されたクラスタリングモデルによれば、口コミと同様の表現を含む検索フレーズを精度よくクラスタリングすることができる。また、このクラスタリングモデルは、口コミのみから生成することもできる。
【０１７２】
そして、構築したクラスタリングモデルと口コミを用いることにより、スポットデータベースと、カテゴリデータベースを生成することができる。このスポットデータベースと、カテゴリデータベースは、口コミのみから生成することもできる。また、最新の口コミを随時取得することにより、これらのデータベースを拡充することもできる。そして、口コミには、スポットやカテゴリを評価、あるいは表現する際に使用される最新の用語が反映されるので、上記のようにして生成した各データベースを用いることにより、そのような最新の用語を用いた検索にも対応することが可能になる。
【０１７３】
また、クラスタ決定部３２３は、上記クラスタリングモデルを用いて特徴語のクラスタを決定し、スポットＤＢ生成部３２４は、クラスタ決定部３２３が決定したクラスタとスポットとを対応付けて記憶する。これにより、検索部２５は、スポットに直接対応付けられていない単語からなる検索フレーズが入力された場合であっても、その単語に対応するクラスタを用いることにより、妥当なスポットを検出することが可能になる。
【０１７４】
同様に、カテゴリＤＢ生成部３２６は、クラスタ決定部３２３が決定したクラスタとカテゴリ分類部３２５が分類したカテゴリとを対応付けて記憶する。これにより、カテゴリ判別部２３は、カテゴリに直接対応付けられていない単語からなる検索フレーズが入力された場合であっても、その単語に対応するクラスタを用いることにより、妥当なカテゴリを判定することが可能になる。
【０１７５】
さらに、特徴語抽出部３２２は特徴語を抽出すると共にその重みを算出し、スポットＤＢ生成部３２４はスポットと、クラスタと、特徴語と、重みとを対応付けて記憶する。これにより、１つのクラスタに含まれる各特徴語について、スポットとの関連性の大きさが重みの値により特定可能となる。よって、検索部２５は、検索フレーズに対応する特徴語と、スポットとの関連性の大きさを考慮して、検索結果を順位付けすることが可能になる。
【０１７６】
同様に、カテゴリＤＢ生成部３２６は、カテゴリと、クラスタと、特徴語と、重みとを対応付けて記憶する。これにより、１つのカテゴリに対応付けられている各特徴語について、当該カテゴリとの関連性の大きさが重みの値により特定可能となる。よって、カテゴリ判別部２３は、検索フレーズに対応する特徴語と、カテゴリとの関連性の大きさを考慮して、カテゴリの判定結果を順位付けすることが可能になる。
【０１７７】
（再学習について）
検索において、教師あり機械学習で生成したモデルを用いる場合、該検索の検索結果に応じた教師データを生成し、その教師データにより再度機械学習を行って当該モデルを更新してもよい。例えば、ある検索フレーズが入力されて、カテゴリの判定（Ｓ２０４）とスポットの検索（Ｓ２０６）が行われ、情報処理端末１に通知されたスポットのいずれかがユーザに選択されたとする。この場合、選択されたスポットはユーザの意に沿ったスポットであったと考えられる。よって、上記検索フレーズあるいは該検索フレーズを構成する単語とその特徴ベクトルと、当該スポットまたはそのカテゴリとを対応付けて教師データとすることができる。例えば、上記検索フレーズと選択されたスポットのカテゴリとを対応付けることにより、カテゴリ分類部が使用する分類モデルを更新するための教師データとしてもよい。このような教師データを用いた再学習によって分類モデルを更新することにより、Ｓ４０１の分類精度を向上することができる。
【符号の説明】
【０１７８】
１  情報処理端末
２  情報検索装置
３  情報蓄積装置
１０  情報検索システム
１１  入力装置
１２  端末通信装置
１３  表示装置
１５  端末記憶装置
２１  検索通信装置
２２  位置情報取得部
２３  カテゴリ判別部
２４  特徴語生成部
２５  検索部
２８  検索記憶装置
３１  蓄積記憶装置
【図１】
2019149140.tif 000003
【図２】
2019149140.tif 000004
【図３】
2019149140.tif 000005
【図４】
2019149140.tif 000006
【図５】
2019149140.tif 000007
【図６】
2019149140.tif 000008
【図７】
2019149140.tif 000009
【図８】
2019149140.tif 000010
【図９】
2019149140.tif 000011